(57)【要約】      （修正有）【課題】シート状部材を収納する本体から、本体を留める留め具を取り外し可能なシート状部材収納具を提供する。【解決手段】シート状部材収納具１は、内部にテープを収納可能な収納部を有する、帯状の本体２と、本体２を留めるための留め具６と、を備え、本体２には、両端に孔が形成されており、留め具６は、本体２を両端の孔が互いに重なる状態で、孔を貫通して互いに係合するように構成された、係合解除可能な係合部２８及び被係合部を有する。【選択図】図１
0003202541.tif 000002
【実用新案登録請求の範囲】
【請求項１】
内部にシート状部材を収納可能な収納部を有する、帯状の本体と、
前記本体を留めるための留め具と、を備え、
前記本体には、両端に孔が形成されており、
前記留め具は、前記本体を前記両端の孔が互いに重なる状態で、前記孔を貫通して互いに係合するように構成された、係合解除可能な係合部及び被係合部を有する、
ことを特徴とするシート状部材収納具。
【請求項２】
一端が前記留め具に装着されるとともに、他端に所望の物品を保持するための保持具を更に有する、
請求項１に記載のシート状部材収納具。
【請求項３】
前記保持具は、前記留め具を前記係合部及び前記被係合部が重なるように折り曲げられた状態での折り曲げた部分に連結されるように構成される、
請求項２に記載のシート状部材収納具。
【請求項４】
前記留め具の形状は帯状であり、前記保持具は、前記留め具を挿通して、前記折り曲げた部分を掛けるための、環状の掛け部を有する、
請求項３に記載のシート状部材収納具。
【請求項５】
前記留め具の形状は帯状であり、前記留め具は、長手方向に順に、第一、第二、及び第三の領域に分けるように三つ折り可能なシート状に形成され、前記第一の領域には、前記係合部又は前記被係合部が設けられ、前記第二の領域には前記被係合部又は前記係合部が設けられ、前記第三の領域には、前記係合部及び／又は前記被係合部が貫通する貫通孔が形成され、前記第二の領域の長手方向の寸法は、前記本体の幅寸法と等しいか、それよりも大きい、
請求項１から請求項４のいずれか１項に記載のシート状部材収納具。
【請求項６】
前記収納部は、前記シート状部材を受け入れるための挿入口を有し、前記挿入口は、前記本体の前記孔よりも、前記本体の長手方向中央側に配置されている、
請求項１から請求項５のいずれか１項に記載のシート状部材収納具。
【考案の詳細な説明】
【技術分野】
【０００１】
本考案は、シート状部材収納具に関し、例えばキーホルダのような、小物等の物品を保持するため、あるいはバッグ等の物品に取り付けるための物品保持具の本体に、例えばテープのような、シート状部材を収納するためのシート状部材収納具に関する。
【背景技術】
【０００２】
従来、キーホルダ等の物品保持具としては、例えば特許文献１に記載のようなものがある。この特許文献１に記載のキーホルダは、キーを保持する保持部分と、保持部分に取り付けられたプレート本体とを有する。
【先行技術文献】
【特許文献】
【０００３】
【特許文献１】実用新案登録第３２００７０４号公報
【考案の概要】
【考案が解決しようとする課題】
【０００４】
しかしながら、上記のような構造のキーホルダでは、保持部分とプレート本体とが互いに固定的に連結しているため、プレート本体を保持部分から取り外すことができず、プレート本体を保持部分と別個に用いることができない。
本考案の目的は、シート状部材を収納するためのシート状部材収納具であって、シート状部材を収納する本体から、本体を留める留め具を取り外し可能なシート状部材収納具を提供することにある。
【課題を解決するための手段】
【０００５】
上記の目的を達成するために、本考案のシート状部材収納具は、内部にシート状部材を収納可能な収納部を有する、帯状の本体と、本体を保持部に留めるための留め具と、を備え、本体には、両端に孔が形成されており、留め具は、本体を両端の孔が互いに重なる状態で、孔を貫通して互いに係合するように構成された、係合解除可能な係合部及び被係合部を有する、ことを特徴としている。
このように構成された本考案においては、本体が収納部を有しているので、収納部に例えば模様の入ったテープ等のシート状部材を収納することができる。
また、係合部及び被係合部が係合解除可能に構成されているので、係合部及び被係合部の係合を解除することにより、本体を留め具から分離することができる。これにより、本体を留め具とは別個に他の用途に用いることができ、例えば帯状の本体をリストバンドとして使用することもできる。また、保持部に取り付ける本体を変更することができ、様々なデザインを楽しむこともできる。
【０００６】
本考案では、一端が留め具に装着されるとともに、他端に所望の物品を保持するための保持具を更に有する、ことが好ましい。
このように構成された本考案では、シート状部材収納具が保持具を更に有するので、例えば保持具の他端に鍵等の所望の物品を保持すれば、シート状部材収納具をキーホルダとして使用することができる。また、保持具をバッグ等の物品に取り付ければ、シート状部材収納具を装飾品として使用することができる。
【０００７】
本考案では、保持具は、留め具を係合部及び被係合部が重なるように折り曲げられた状態での折り曲げた部分に連結されるように構成される、ことが好ましい。
このように構成された本考案では、保持具が、帯状の留め具を折り曲げた部分に連結されるので、係合部及び被係合部を互いに係合する際に、保持具が邪魔になるようなことがない。
【０００８】
本考案では、留め具の形状は帯状であり、保持具は、留め具を挿通して、折り曲げた部分を掛けるための、環状の掛け部を有する、ことが好ましい。
このように構成された本考案では、留め具の折り曲げ部分を伸ばせば、留め具を環状の掛け部から取り外すことができる。したがって、本体に加えて留め具も、保持具とは別個に他の用途に用いることができ、例えば本体をリストバンドとして使用する場合の、本体の両端を留める留め具として使用することもできる。
【０００９】
本考案では、留め具の形状は帯状であり、留め具は、長手方向に順に、第一、第二、及び第三の領域に分けるように三つ折り可能なシート状に形成され、第一の領域には、係合部又は被係合部が設けられ、第二の領域には被係合部又は係合部が設けられ、第三の領域には、係合部及び／又は被係合部が貫通する貫通孔が形成され、第二の領域の長手方向の寸法は、本体の幅寸法と等しいか、それよりも大きい、ことが好ましい。
このように構成された本考案では、留め具が三つ折りにされた状態の第二の領域の長手方向の寸法が本体の幅寸法と等しいか、それよりも大きく設定されているので、例えば本体をリストバンドとして使用する場合、留め具を保持具から取り外して環状に配置した本体の両端を留める留め具として使用する際に、留め具の長手方向を本体の幅方向に配置して三つ折りにすると、本体の端部を留め具で囲むように覆うことができる。したがって、本体を変形させることなく留め具で両端を留めることができるので、例えば本体をリストバンドとして使用する場合等に、リストバンドとしての良好な外観を得ることができる。
【００１０】
本考案では、収納部は、シート状部材を受け入れるための挿入口を有し、挿入口は、本体の孔よりも、本体の長手方向中央側に配置されている、ことが好ましい。
このように構成された本考案では、収納部の挿入口が、本体の孔よりも本体の長手方向中央側に配置されているので、留め具の係合部及び被係合部で本体を留めた状態でも、挿入口からシート状部材を挿入することができる。
【図面の簡単な説明】
【００１１】
【図１】本考案の一実施形態に係るシート状部材収納具の正面図である。
【図２】本考案の一実施形態に係るシート状部材収納具の平面図である。
【図３】本考案の一実施形態に係るシート状部材収納具の本体を展開した状態を内側から見た図である。
【図４】本考案の一実施形態に係るシート状部材収納具の留め具を展開した状態の正面図である。
【図５】本考案の一実施形態に係るシート状部材収納具の留め具を展開した状態の平面図である。
【図６】本考案の一実施形態に係るシート状部材収納具の使用例を示す図である。
【図７】本考案の一実施形態に係るシート状部材収納具の本体及び留め具をリストバンドとして使用した場合の図である。
【考案を実施するための形態】
【００１２】
以下、本考案の好ましい実施形態を添付図面を参照して説明する。
図１は、本考案の一実施形態に係るシート状部材収納具１の正面図であり、図２は、本考案の一実施形態に係るシート状部材収納具１の側面図である。本実施形態において、シート状部材収納具１は、例えばキーホルダのように、鍵等の所望の物品を保持するための物品保持具として使用される。
これらの図１及び図２に示すように、本考案の一実施形態に係るシート状部材収納具１は、帯状の本体２と、鍵等の所望の物品を保持するための保持具４と、本体２を保持具４に留めるための留め具６と、を備えている。
【００１３】
図３は、本考案の一実施形態に係るシート状部材収納具１の本体２を展開した状態を内側から見た図である。本体２は、略矩形の帯状のシート材料で形成された表側シート８（図１，図２）と、表側シート８の裏側両端に配置された、略正方形のシート材料で形成された端シート１０と、表側シート８の裏側に、端シート１０の間に配置された、略矩形の帯状のシート材料で形成された裏側シート１２と、を備える。
表側シート８及び端シート１０は、透明なシート材料で形成されており、端シート１０は、本体２の長手方向に延びる二辺１０Ａ，１０Ｂ及び端部の一辺１０Ｃが、融着等によって表側シート８に接合されている。表側シート８の両端には、表側シート８及び端シート１０を貫通するように、孔１４がそれぞれ形成されている。
【００１４】
裏側シート１２は、半透明のシート材料で形成されており、長手方向に延びる二辺１２Ａ，１２Ｂが融着等によって表側シート８に接合されている。したがって、裏側シート１２と表側シート８は、裏側シート１２の両端部に挿入口としての開口部１３Ａ，１３Ｂを有する筒状に形成されており、内部に物品等を収納可能な収納部１６が形成されている。このとき、開口部１３Ａ，１３Ｂは、本体２の孔１４よりも、本体２の長手方向中央側に位置することになる。
【００１５】
保持具４は、金属製の材料で形成されており、図１及び図２に示すように、一端に留め具６が装着されるとともに留め具６を介して本体２が取り付けられる本体取付部１８と、他端に鍵等の物品が取り付けらる物品取付部２０と、本体取付部１８と物品取付部２０とを連結する連結チェーン２２と、を備える。
本体取付部１８には、留め具６が取り付けられるように留め具６の幅とほぼ同じ長さの平坦部１８Ａと、その両端を繋ぐように円弧状部１８Ｂとが形成されており、全体として環状に形成されている。
物品取付部２０は、二重リング式の第一の取付部２４と、フック式の第二の取付部２５とを有する。第二の取付部２５は、第１の取付部２４の内周に収まる寸法に形成されている。
【００１６】
図４は、本考案の一実施形態に係るシート状部材収納具１の留め具６を展開した状態の正面図である。又、図５は、本考案の一実施形態に係るシート状部材収納具１の留め具６を展開した状態の平面図である。留め具６は、可撓性を有する着色された透明なシート状の材料で形成され、図５及び図６に示すように、略矩形状の帯状に形成された留め具本体２６を有する。留め具本体２６は、長手方向にほぼ３等分された第一、第二、及び第三の領域２６Ａ，２６Ｂ，２６Ｃを有し、三つ折り可能に形成されている。したがって、これらの領域２６Ａ，２６Ｂ，２６Ｃの境界には、留め具６を三つ折りにしたとき、それぞれ折り曲げ部分２７Ａ，２７Ｂが形成される。これらの領域２６Ａ，２６Ｂ，２６Ｃの長手方向の寸法Ｌは、本体２の幅方向の寸法Ｗ（図１）とほぼ同じか、それよりも若干大きく設定されている。
【００１７】
第一、第二、第三の領域２６Ａ，２６Ｂ，２６Ｃのうち、隣り合った２つの領域２６Ａ，２６Ｂの略中央には、互いに係合・係合解除可能な係合部２８及び被係合部３０がそれぞれ設けられている。また、残りの領域２６Ｃには、略中央に被係合部３０が貫通できる貫通孔３２が形成されている。
【００１８】
このような構造のシート状部材収納具１は、以下のように使用する。
図６は、本考案の一実施形態に係るシート状部材収納具１の使用例を示す図である。図６に示すように、シート状部材収納具１をキーホルダーとして使用する場合、裏側シート１２の両端の開口部１３Ａ，１３Ｂから、例えば絵柄の施されたテープ３４を収納部１６に挿入する。表側シート８は透明な材料で形成されているため、このテープ３４の柄は外から視認可能となる。裏側シート１２が内側にして両端の孔１４が重なるように本体２を二つ折りにする。
【００１９】
留め具６は、留め具本体２６を折り曲げ部分２７Ｂで折り曲げて二つ折りにし、第三の領域２６Ｃの貫通孔３２に第二の領域２６Ｂの被係合部３０を貫通させる。その状態で、保持具４の本体取付部１８に留め具６を挿通し、係合部２８と被係合部３０が重なるように折り曲げ部分２７Ａで留め具本体２６を折り曲げ、折り曲げ部分２７Ａが平坦部１８Ａに掛けられるようにする。したがって、留め具本体２６の折り曲げ部分２７Ａは、留め具６が保持具４に連結するための連結部を形成し、一方、保持具４の本体取付部１８は、留め具６を挿通して折り曲げ部分２７Ａを掛けるための環状の掛け部を構成する。その後、係合部２８及び被係合部３０を本体２の孔１４に貫通させ、係合部２８を被係合部３０に係合させることで、留め具６を本体２に留め、保持具４に本体２を取り付ける。このように組み立てたシート状部材収納具１は、物品取付部２０に鍵等を取り付けることによってキーホルダとして使用できる。
【００２０】
図７は、本考案の一実施形態に係るシート状部材収納具１の本体２及び留め具６をリストバンドとして使用した場合の図である。図６のシート状部材収納具１の本体２及び留め具６をリストバンドとして使用する場合、留め具６の係合部２８及び被係合部３０の係合を解除し、留め具６を本体２から取り外す。また、留め具６の折り曲げ部分２７Ａを伸ばして、保持具４を留め具６から取り外す。二つ折りになった本体２を広げて環状にし、両端の孔１４を互いに重ねる。次に、留め具６の折り曲げ部分２７Ａ，２７Ｂを広げ、本体２の端部が重なっている部分に、第二の領域２６Ｂが本体２の内側に配置されるように且つ留め具６の長手方向が本体２の幅方向に向くように配置する。このとき、本体２の２つの孔１４に留め具６の第二の領域２６Ｂの被係合部３０が貫通する。そして、折り曲げ部分２７Ｂを折り曲げて、第三の領域２６Ｃを環状の本体２の外側に配置し、留め具６の貫通孔３２が本体２の孔１４に一致するようにする。その後、折り曲げ部分２７Ａを折り曲げて、第一の領域２６Ａも、環状の本体２の外側且つ第三の領域２６Ｃの外側に配置し、係合部２８を被係合部３０に係合させて、本体２の両端を留め具６によって留める。以上のようにして、本体２及び留め具６をリストバンドとして使用できる。
【００２１】
以上のような実施形態によれば、以下のような効果が得られる。
本体２に孔１４が形成され、留め具６が、係合・係合解除可能な係合部２８及び被係合部３０を有し、本体２が、留め具６によって保持具４に取り付けられるので、留め具６の係合部２８及び被係合部３０の係合を解除すると、本体２を留め具６及び保持具４から取り外すことができる。したがって、本体２を保持具４に取り付けてキーホルダとして使用する他、本体２を保持具４から取り外して環状にし、リストバンドとして使用することもできる。また、本体２を留め具６から取り外すことができるので、例えば本体２を複数用意してそれぞれに別の絵柄のテープ３４を挿入しておき、好きなテープ３４の収納された本体２を留め具６に取り付けることで、本体２の絵柄を取り替えることもできる。
【００２２】
本体２を留め具６から取り外すことができるので、開口部１３Ａ，１３Ｂからテープ３４等の物品を挿入する際、挿入しやすい。また、開口部１３Ａ、１３Ｂが、本体２の孔１４よりも、本体２の長手方向中央側に位置しているので、係合部２８及び被係合部３０を留めた状態でも、開口部１３Ａ，１３Ｂからテープ３４を挿入することができる。
【００２３】
留め具６が帯状に形成され、折り曲げ部分２７Ａに保持具４を掛けることによって留め具６と保持具４とを連結するので、留め具６の折り曲げ部分２７Ａを外せば、留め具６を保持具４から取り外すことができる。したがって、本体２をリストバンドとして使用する際に、留め具６を本体２の両端を留める留め具としても使用することができる。
また、保持具４は、留め具６の折り曲げ部分２７Ａで留め具に連結するので、係合部２８及び被係合部３０を互いに係合させる際に、保持具４が邪魔になるようなことがない。
【００２４】
留め具６が三つ折りに折り曲げ可能となっており、第一、第二、及び第三の領域２６Ａ，２６Ｂ，２６Ｃの長さ方向の寸法Ｌが、本体２の幅寸法Ｗとほぼ同じがそれよりも大きく設定されているので、留め具６をリストバンドの留め具として使用する際、留め具６で本体２の幅を狭めることなく本体２の両端を留めることができる。したがって、外観の良好なリストバンドを形成することができる。また、留め具６が本体２の端部を一周幅方向に囲むようにして覆うので、本体２の端部が外部に露出せず、これによっても外観の良好なリストバンドを形成することができる。
【００２５】
本体２に収納部１６が形成されているので、収納部１６にテープ３４を収納して、本体２をユーザーの好きな絵柄に装飾することができる。
【００２６】
本考案は、以上の実施の形態に限定されることなく、例えば、以下のような態様であってもよい。
物品取付部は、二重リング式のものやフック式のものの他、紐等で構成されたストラップ等、任意の構造及び材料のものを採用することができる。
前述の実施形態では、本体の収納部には、テープを収納していたが、これに限らず、任意のシート状部材を収納することができる。
【００２７】
前述の実施形態では、留め具６の第一、第二、及び第三の領域２６Ａ，２６Ｂ，２６Ｃの長手方向の寸法Ｌは、本体２の幅寸法Ｗと等しいかそれよりも大きく設定されていたが、本考案では、少なくとも第二の領域の長手方向の寸法が、本体の幅寸法と等しいか、それよりも大きく設定されていればよく、したがって、例えば第一の領域及び第三の領域の長手方向の寸法は、本体の幅寸法よりも小さくてもよい。
本考案のシート状部材収納具は、キーホルダーのように、鍵等の物品を保持するための物品保持具として使用することができる他、例えばシート状部材収納具を携帯電話やバッグ等の物品に取り付けてこれら物品を保持することにより、これら物品の装飾品として使用してもよい。
【符号の説明】
【００２８】
１  シート状部材収納具
２  本体
４  保持具
６  留め具
１３Ａ，１３Ｂ  開口部（挿入口）
１４  孔
１８  本体取付部（掛け部）
２７Ａ  折り曲げ部分
２８  係合部
３０  被係合部
【図１】
0003202541.tif 000003
【図２】
0003202541.tif 000004
【図３】
0003202541.tif 000005
【図４】
0003202541.tif 000006
【図５】
0003202541.tif 000007
【図６】
0003202541.tif 000008
【図７】
0003202541.tif 000009